(57)【特許請求の範囲】
【請求項１】
浴室内の空気を吸気する吸気口と、
該吸気口を介して前記空気を吸入するファンと、
該ファンにより吸入された空気を前記浴室内に吹き出す吹出口と、
前記ファンにより吸入された空気を前記浴室外に排気させる排気口と、
前記吸気口より吸い込んだ空気を加熱するヒータと、
前記ファンにより吸入された空気を、表面または裏面に沿って前記吹出口または前記排気口に誘導するダンパーと、
該ダンパー、前記ファンおよび前記ヒータを制御する制御部と、
ユーザが操作する操作部とを備えた送風装置であって、
前記ダンパーに前記表面から前記裏面へと前記空気を通過させるための開口部が形成されるとともに、
前記ダンパーは、前記操作部の操作に基づき、前記制御部によって、前記吹出口を塞ぐ第１の位置と前記排気口を塞ぐ第２の位置とのいずれかの位置に可動されるようにし、
前記制御部は、前記操作部の操作によって、
入浴前に入浴者が寒さを感じることなく入浴を行えるように前記浴室内に温風を吹き出す暖房モードと、前記浴室内の空気を屋外へ排気する換気モードとを実行可能にし、
前記操作部の操作により前記換気モードが選択されると、前記制御部は、前記ダンパーを前記第１の位置として、前記浴室内の空気を前記ファンによって、前記排気口より屋外へ排気するようにし、
前記暖房モードが選択されたときに、前記制御部は前記ダンパーを前記第２の位置に可動させ、前記吸気口より吸い込んだ空気を前記ヒータにより加熱し、前記ファンにより前記浴室内に温風を吹き出すとともに、前記ダンパーの開口部より前記浴室内の空気を通過可能にし、前記吸気口より吸い込んだ空気を該開口部を通って前記排気口を通して前記浴室内の空気を排気するようにし、前記暖房モード時に前記ダンパーに設けた開口部により前記浴室内の空気の排気を可能にし、
前記ダンパーの表面積は、前記開口部を有していないダンパーの表面積比の８５%以上であること
を特徴とする送風装置。
【発明の詳細な説明】
【技術分野】
【０００１】
本発明は、室内の空気を吸気する吸気口と、吸気口を介して空気を吸入するファンと、ファンにより吸入された空気を室内に循環排出させる吹出口と、ファンにより吸入された空気を室外に排気させる排気口と、ファンにより吸入された空気を吹出口または吸気口に誘導するダンパーとを備えた送風装置に関する。
【背景技術】
【０００２】
一般的な建築物には、建物内の換気等を行うために送風装置が設置されている。特に近年では、建物の内装材より放散されるホルムアルデイド等の揮発性有機化合物を効率的に屋外へ排出させるため、居室を有する建物に２４時間換気システムを設置することが義務づけられている。このため、浴室空調装置等に２４時間換気機能を設けて、室内換気用の送風装置として利用することが多くなっている。
【０００３】
一般的な浴室空調装置は、一枚のダンパーを可動させて浴室内より吸入した空気を屋外に通じる排気口または浴室に通じる吹出口へ導く構造となっている。浴室空調装置を用いて浴室の暖房を行う場合にはダンパーで排気口を塞いで空気を吹出口へ誘導し、浴室の換気を行う場合にはダンパーで吹出口を塞いで空気を排気口に誘導する（例えば、特許文献１参照）。
【特許文献１】特開２００４−３４０４０７号公報（第４−６頁、第１図）
【発明の開示】
【発明が解決しようとする課題】
【０００４】
しかしながら、浴室の暖房を行う場合にはダンパーによって排気口が塞がれてしまうので、浴室内の空気が屋外に排出されなくなり、屋内の換気効率が低下してしまうおそれがあるという問題があった。
【０００５】
一方で、屋内の換気効率を向上させるために、空気の分流を行う分流位置（半開位置）にダンパーを可動させ、浴室より導入された空気をダンパーで分流して吹出口と排気口との両方に導く浴室空調装置も提案されている。
【０００６】
しかしながら、ダンパーを分流位置に可動させる場合、最適の分流位置が浴室空調装置の機種毎に異なっているため、ダンパーが最適な分流位置に可動されたか否かを検出するためのセンサーや、ダンパーの可動時間管理等を行う制御手段が必要とされる。このため、ダンパーを分流位置に可動させる浴室空調装置は、構造が複雑化するとともに、ダンパーの分流位置動作等に時間がかかってしまうという問題があった。
【０００７】
本発明は上記問題に鑑みてなされたものであり、ダンパーの分流位置制御を行うためのセンサーや制御手段等を用いることなく、効率よく換気を行うことが可能な送風装置を提供することを課題とする。
【課題を解決するための手段】
【０００８】
上記課題を解決するために、本発明に係る送風装置は、室内の空気を吸気する吸気口と、該吸気口を介して前記空気を吸入するファンと、該ファンにより吸入された空気を前記室内に吹き出す吹出口と、前記ファンにより吸入された空気を室外に排気させる排気口と、前記ファンにより吸入された空気を、表面または裏面に沿って前記吹出口または前記排気口に誘導するダンパーとを備え、該ダンパーには、前記表面から前記裏面へと前記空気を通過させるための開口部が形成されることを特徴とする。
【０００９】
なお、上記開口部はダンパーに形成される孔形状のものの他、ダンパーの端部を切り欠いた切欠形状のものをも含むものである。
【００１０】
また、前記ダンパーは、前記吹出口を塞ぐ位置と前記排気口を塞ぐ位置とのいずれかの位置に可動にされるものであることが好ましい。
【発明の効果】
【００１１】
本発明に係る送風装置によれば、ダンパーに開口部が形成されているので、ダンパーが吹出口および排気口に対してどのような角度で設置されている場合であっても、ダンパーの表面および裏面に沿って、または、開口部を介して一部の空気を排気口へと導くことができるので、ダンパーの設置状態にかかわらず常に十分な換気性能を確保することができる。
【００１２】
特に、２４時間換気が義務づけられた建物では、ダンパーの設置状態にかかわらず十分な換気性能を確保することができるので、２４時間換気のためにダンパーを所定設置に可動等させる必要がなくなる。
【００１３】
また、ダンパーが吹出口を塞ぐ位置と排気口を塞ぐ位置との２つの位置にのみ稼働できる構造であれば、浴室内の空気の換気、循環およびその両方の全ての空調モードに対応することができるので、ダンパーを分流位置（半開位置）に停止させる必要がなくなる。このため、ダンパーを分流位置（半開位置）に停止させるための分流位置検出用のセンサーや制御手段を設ける必要がなくなり、浴室空調装置の構造の簡略化を図りやすくなるとともに、浴室空調装置のコスト低廉化を図ることが可能となる。
【発明を実施するための最良の形態】
【００１４】
以下、本発明に係る送風装置を浴室空調装置として使用する場合について説明を行う。
【００１５】
図１は、浴室空調装置を示した斜視図であり、図２は、浴室空調装置を示す側方断面図である。浴室空調装置１は、ファンユニット２と、本体ケース３と、ダンパー４と、ファンカバー５と、ヒータ６と、フロントパネル７とを有している。
【００１６】
ファンユニット２は、ファンモータ８とシロッコファン９とを有している。シロッコファン９は、円盤状の基盤９ａの周縁部に複数の翼９ｂが配設されたものであり、基盤９ａの中心にはファンモータ８の回転軸８ａが固定される。ファンモータ８の駆動により回転軸８ａに駆動力が加えられると、シロッコファン９が回転軸８ａとともに回転し、基盤９ａ前方の空気をシロッコファン９の翼９ｂを介してシロッコファン９の側方へと吸入する。
【００１７】
本体ケース３は、下方に解放された開口を有す箱体であり、図３に示すように、ファンユニット２を設置するためのファン収納部１２と、ダンパー４を収納するためのダンパー収納部１３とが形成されている。ダンパー収納部１３はファンユニット２により吸入される空気を後述する吹出口１５および排気口１６へと送風する送風空間（送風部）としての役割を有している。
【００１８】
ダンパー収納部１３は、ダンパー４を回動自在に収納することが可能な凹所であり、ダンパー収納部１３の下方にはヒータ６が設置されると共に、吹出口１５が形成され、ダンパー収納部１３の側壁には、屋外に空気を排気するための排気口１６が形成されている。
【００１９】
ここで、ダンパー４は平面視略長方形状を呈し、図２、図４（ｂ）に示すように側方視で中央部が凸状となる緩やかな湾曲形状を有している。ダンパー４の下端部には軸４ａが形成されており、この軸４ａの両端はダンパー収納部１３の側壁に回動自在に軸支される。また、ダンパー４の下面にはリブ４ｂが形成されており、このリブ４ｂには浴室空調装置１の運転モードに応じて回動されるカム１８の突起部１９を案内するガイド孔４ｃが形成されている。カム１８が回動するとその回動角度に応じて突起部１９の停止位置が変化してダンパー４の回動角度の調整が行われる。
【００２０】
また、ダンパー４には、図２、図４（ａ）に示すように、ダンパー４の下面（表面）４ｅから上面（裏面）４ｄへと連通する開口部としての切欠部４０が形成されている。切欠部４０は、ダンパー４の先端中央部に正方形状に形成されている。なお、切欠部４０は、必ずしもこの位置にこの形状で形成されている必要はなく、ダンパー４の下面４ｅから上面４ｄへと空気を通すことが可能な開口であるならば、その形状および形成位置は限定されるものではない。また、ダンパー４に形成される切欠部４０は必ずしも端部を切り欠いたものである必要はなく、ダンパー４に孔形状に形成される開口であってもよい。また、切欠部４０の設置数は１つに限定されるものではなく、２以上の切欠部４０が形成されていてもよい。
【００２１】
ファン収納部１２は、図３に示すように、シロッコファン９の直径よりも拡径の略円柱状凹所であり、ファンモータ８を本体ケース３の上面部に設置し、ファン収納部１２の中心に形成される開口より回動軸８ａを突出させた状態でシロッコファン９をファン収納部１２に収納することによって、シロッコファン９の基盤９ａ中心を回動軸８ａの先端に固定する構造となっている。
【００２２】
ファン収納部１２の側壁面１２ｂとシロッコファン９の外周側９ｃとの間には、吸入された空気をダンパー収納部１３へと導くための導通路２０が形成されている。
【００２３】
ファンカバー５は、図１、図２に示すように、本体ケース３の下面を覆うようにして設置される。ファンカバー５には、シロッコファン９の中心部へ空気を導くための吸入孔５ａと、ダンパー収納部１３へと運ばれてきた空気を屋内へ循環させるための吹出孔５ｂとが形成されている。吸入孔５ａはシロッコファン９の基盤９ａ正面を臨むようにして形成された円形状の開口であり、吹出孔５ｂはダンパー収納部１３を臨むようにして形成される略四角形状の開口である。このファンカバー５が本体ケース３の下面に設置されることにより、導通路２０の下面がファンカバー５により構成されることとなる。
【００２４】
ファンカバー５の吹出孔５ｂには、ヒータ６が設置されている。ヒータ６には、ＰＴＣヒータ（Positive Temperature Coefficien）が用いられている。ＰＣＴヒータは、温風の温度に応じてヒータの発熱温度を自動的に調節し、温度設定を一定に保つことが可能な構造となっている。ヒータ６のＯＮ／ＯＦＦ制御は後述する制御部５１（図５参照）によって制御される。
【００２５】
ファンカバー５が設置された本体ケース３の下面には、フロントパネル７が設置されている。フロントパネル７には、ファンカバー５の吸入孔５ａに対応する位置に吸入口（吸気口）３０が形成され、さらにファンカバー５の吹出孔５ｂに対応する位置に吹出口１５が形成されている。また、吸入口３０には、埃の吸入を防止するためのフィルタ３１が着脱可能に取り付けられている。浴室空調装置１は、本体ケース３を天井裏方向に突出させるようにして天井面３３に固定され、フロントパネル７だけを浴室の天井面３３に露呈させた状態で浴室に設置される。
【００２６】
次に、このようにして構成される浴室空調装置１が稼働する場合について説明する。
【００２７】
浴室空調装置１を動作させる場合、ユーザーは浴室の脱衣所等に設置される操作パネル５０（図５参照）を操作することによって運転モードの選択を行う。具体的には、浴室の暖房を行う暖房モード、浴室の換気を行う換気モード、浴室に涼風を導き入れる涼風モードを選択する。
【００２８】
なお、浴室空調装置１を暖房モードで動作させることによって、浴室内をあらかじめ暖めておくことができるので、浴室開始時に入浴者（ユーザー）が寒さを感じることなく快適に入浴を行うことが可能となる。
【００２９】
また、浴室空調装置１を涼風モードで動作させることにより、浴室内に常温の風を送り込むことができるので、浴室空調装置を扇風機のように使用することができる。
【００３０】
さらに、浴室空調装置１を換気モードで動作させることにより、浴室内の湿気を積極的に屋外へ排出することができるので、浴室におけるカビの発生等を抑制することが可能となる。
【００３１】
ユーザーにより運転モードの選択が行われると、図５に示すように、選択された運転モード情報が浴室空調装置１に設置される制御部５１に伝達される。制御部５１では、選択された運転モードに応じてカム駆動用モータ５２を駆動させてカム１８の回動角度を制御し、ダンパー４の回動位置を全開、全閉のいずれかに調整する。さらに制御部５１は、選択された運転モードに応じて、ファンユニット２のファンモータ８を駆動させてシロッコファン９の回転速度を強、弱のいずれかに調整するとともに、ヒータ６のＯＮ／ＯＦＦ制御を行う。
【００３２】
なお、ダンパー４の回動位置が全閉の状態とは、図２に示すように、排気口１６を塞ぐ位置にダンパー４を回動させて導通路２０を流れてくる空気を吹出口１５へと導く状態（図２の矢印Ａから矢印Ｂに示す空気の流れ参照）を意味し、全開の状態とは、図６に示すように、吹出口１５を塞ぐ位置にダンパー４を回動させて導通路２０を流れてくる空気を排気口１６へと導く状態（図６の矢印Ａから矢印Ｃに示す空気の流れ参照）を意味する。
【００３３】
次に、浴室空調装置１の稼働動作を運転モード毎に分けて説明する。
【００３４】
＜暖房モードの場合＞
ユーザーにより暖房モードの設定が行われると、制御部４１は、図２に示すように、ダンパー４を全閉位置（第２の位置）に回動させるとともに、シロッコファン９の回転速度を強に設定し、ヒータ６をＯＮにする。シロッコファン９の回転速度が強に設定されると、シロッコファン９の回転に伴って吸入口３０より浴室内の空気が本体ケース３内へと吸入される。
【００３５】
吸入された空気は、シロッコファン９の翼９ｂの間を通って導通路２０へと案内され、その後ダンパー収納部１３へと導かれる。ダンパー収納部１３では、ダンパー４が全閉位置に回動されているため、図２に示すように、ダンパー４によってダンパー排気口１６が塞がれた状態となる。
【００３６】
このため、ダンパー収納部１３へと導かれた空気の一部は、ダンパー４の下面４ｅに沿って下方向へと空気の流れを変更させてヒータ６へと流れて行く。ヒータへ流れ込んだ空気は、ヒータ６により加熱されて温風となり、浴室内に循環排出される。このため、浴室内に暖かい風を送出させることができるので、入浴前に浴室空調装置１を暖房モードで可動させることによって入浴時に入浴者が寒さを感じることなく入浴を行うことが可能となる。
【００３７】
一方で、ダンパー４には開口部の一例である切欠部４０が形成されているため、ダンパー収納部１３へと導かれた空気の一部は、切欠部４０を介してダンパー下面４ｅから上面４ｄへと流れて、排気口１６を介して浴室の外部に排出される。
【００３８】
切欠部４０が形成されたダンパー４として、図４の実線で示した切欠部４０ａが形成されたダンパー（切欠部が形成されていないダンパーの９５％の表面積を有する）と、図４の鎖線で示した切欠部４０ｂが形成されるダンパー（切欠部が形成されていないダンパーの８５％の表面積を有する）とに、切欠部４０が形成されていないダンパーを加えた３種類のダンパーを用いて、浴室の洗い場中央部床上および洗い場床面から所定高さの部位で所定温度になるまでの温度上昇変化を測定した。温度上昇測定の結果、どの種類のダンパーを用いても温度上昇変化および温度上昇時間にほとんど差がなく、切欠部４０が形成されたダンパーを用いても暖房性能に問題がないことを確認でき、ダンパーの表面積比８５％以上であれば暖房性能に実質的に問題ないことを確認することができた。
【００３９】
一方で、各浴室空調装置の換気風量は、切欠部４０の切欠面積が広くなるに従って換気風量が増大しており、切欠部４０を形成することによって十分な換気風量を確保することができる。
【００４０】
このように、切欠部４０をダンパー４に形成することによって、浴室の暖房速度（暖房効率）を低下させることなく、十分な換気性能を確保することが可能となる。ダンパー４を分流位置（半開位置：第３の位置）に停止させことなく換気を行うことができるので、ダンパー４の分流位置検出用のセンサーや制御手段を設ける必要がなくなり、浴室空調装置１の構造の簡略化を図りやすくなるとともに、浴室空調装置１のコスト低廉化を図ることが可能となる。
【００４１】
また、浴室空調装置１が暖房モードで稼働された場合であっても、上述した切欠部４０を介して排気口１６へ空気が流れて十分な換気を行うことができるので、暖房モードによって浴室の乾燥を行うことができる。このため、暖房モードを、乾燥機能を備えた乾燥モードとして機能（兼用）させることができ、浴室内に洗濯物を干すことによって洗濯物の乾燥を行うことも可能となる。
【００４２】
さらに、暖房モードによって排気口１６がダンパー４で塞がれている場合であっても、切欠部４０を介して排気口１６へ浴室内の空気を排出することができるので、２４時間換気を行う必要がある建築のおける換気性能を、暖房モードにおいても十分に確保することができる。
【００４３】
＜換気モードの場合＞
ユーザーにより換気モードの設定が行われると、制御部４１は、図６に示すように、ダンパー４を全開位置（第1の位置）に回動させるとともに、シロッコファン９の回転速度を強に設定し、ヒータ６をＯＦＦにする。シロッコファン９の回転速度が強に設定されると、シロッコファン９の回転に伴って吸入口３０より浴室内の空気が本体ケース３内に吸入される。
【００４４】
吸入された空気は、シロッコファン９の翼９ｂの間を通って導通路２０へと案内され、ダンパー収納部１３へと導かれる。
【００４５】
ダンパー収納部１３では、ダンパー４が全開位置に回動されているため、図６に示すように、ダンパー４の先端がケース下蓋５に当接し、ダンパー４により吹出口１５が塞がれた状態となる。このため、ダンパー収納部１３へと導かれた空気は、ダンパー４の上面４ｄ側の空間へと流れ込み、排気口１６から浴室外へと排出される。
【００４６】
このとき、ダンパー４の上面４ｄと、導通路２０よりダンパー収納部１３へと流れてくる気流の方向とが平行となるため、ダンパー収納部１３に流れてきた空気は切欠部４０を介して吹出口１５へほとんど流れることなく、排気口１６へと流れて行く。このため、切欠部４０が形成されたダンパー４を用いて浴室の換気を行う場合であっても、切欠部４０が形成されていないダンパーを用いた場合と同様の排気性能を確保することが可能となる。
【００４７】
なお、換気モードで浴室空調装置１が稼働している場合には、浴室空調装置１により十分な換気が行われることとなるため、２４時間換気を行う必要のある建物においても十分の換気性能を確保することができる。
【００４８】
＜涼風モードの場合＞
ユーザーにより涼風モードの設定が行われると、制御部４１は、図２に示すように、ダンパー４を全閉位置（第２の位置）に回動させるとともに、シロッコファン９の回転速度を強に設定し、ヒータ６をＯＦＦにする。
【００４９】
涼風モードでは、ヒータ６がＯＦＦに設定される以外、ダンパー４の回動位置およびシロッコファン９の回転速度の設定が暖房モードと同様の設定となるので、上述した暖房モードと同様に、送風を行いつつ十分な換気性能を確保することが可能となる。このため、ダンパー４を分流位置（半開位置：第３の位置）に停止させことなく十分な換気性能を確保することができるので、ダンパー４の分流位置検出用のセンサーや制御手段を設ける必要がなくなり、浴室空調装置１の構造の簡略化を図りやすくなるとともに、浴室空調装置１のコスト低廉化を図ることが可能となる。
【００５０】
また、涼風モードによって排気口１６がダンパー４で塞がれている場合であっても、切欠部４０により浴室内の空気を排気口１６へ排出することができるので、涼風モードにおいても２４時間換気に必要な換気性能を確保することが可能となる。
【００５１】
なお、吹出口１５をダンパー４で塞ぐ全開位置（第１の位置）とは、実質的に吹出口１５を塞いでいればわずかな間隙があってもよく、排気口１６をダンパー４で塞ぐ全閉位置（第２の位置）も間隙によりわずかな排気が行われるものであってもよい。
【００５２】
以上説明したように、本発明に係る浴室空調装置１では、ダンパー４に切欠部４０が形成されているので、ユーザーによる設定モードが、暖房モード（乾燥モード）であっても、換気モードであっても、涼風モードであっても、常時十分な換気性能を確保することができる。
【００５３】
特に、浴室空調装置１が暖房モード（乾燥モード）または涼風モードに設定され、ダンパー４で排気口１６が塞さがれている場合であっても、切欠部４０により浴室内の空気を排気口１６へ排出することができるので、２４時間換気に必要な換気性能を確保することが可能となる。
【００５４】
また、浴室空調装置１の設定モードがどのように設定された場合であっても、ダンパー４を全開位置（第１の位置）または全閉位置（第２の位置）のいずれかの位置に可動させることができれば各設定モードに応じた空調設定を行うことができるので、ダンパー４を分流位置（半開位置：第３の位置）に停止させる必要がなくなる。このため、ダンパー４を分流位置（半開位置：第３の位置）に停止させるための分流位置検出用のセンサーや制御手段を設ける必要がなくなり、浴室空調装置１の構造の簡略化を図りやすくなるとともに、浴室空調装置１のコスト低廉化を図ることが可能となる。
【００５５】
以上、本発明に係る空調装置を浴室空調装置として使用した実施形態を、運転モード毎に場合分けをして説明したが、本発明に係る空調装置は上述した実施形態に限定されるものではない。いわゆる当業者であれば、特許請求の範囲に記載された範疇内において各種の変更例または修正例に想到しうることは明らかであり、それらについても当然に本発明の技術的範囲に属するものと了解される。
【００５６】
例えば、上述した実施形態では、シロッコファン９がファンモータ８とともにユニット化されたファンユニット２を用いた場合について説明を行ったが、ファンは必ずしもユニット化されたものに限定されるものではなく、ファン、モータ等が別体に構成されるものであってもよい。さらに、実施形態では、送風用のファンとしてシロッコファンを用いた場合について説明を行ったが、ファンは必ずしもシロッコファンに限定されるものではなく、ラジアルファンやその他多翼ファンを用いるものであってもよい。
【００５７】
また、ダンパー４に形成される切欠部（開口部）の位置は、ダンパー４の先端部に限定されるものではなく、図７（ａ）（ｂ）に示すようにダンパー４の軸４ａ側や中央部に形成されていてもよく、さらに、図７（ｃ）に示すように複数の開口が形成されていてもよい。また、開口部の開口量を調整できるようなものや、開口部の形状が矩形や円弧状のものであってもよい。
【００５８】
さらに、上述した実施形態では浴室用空調装置についての説明を行ったが、本発明に係る送風装置は浴室用の空調装置に限定されるものではなく、浴室以外に用いられる空調装置であってもよい。
【図面の簡単な説明】
【００５９】
【図１】実施形態に係る浴室空調装置を示す斜視図である。
【図２】全閉の状態にダンパーが回動された浴室空調装置を示す側方断面図である。
【図３】実施形態に係る本体ケースを示した底面図である。
【図４】実施形態に係るダンパーを示した図であり、（ａ）は平面図、（ｂ）は側面図を示している。
【図５】実施形態に係る浴室空調装置の制御機能を示したブロック図である。
【図６】全開の状態にダンパーが回動された浴室空調装置を示す側方断面図である。
【図７】切欠部が形成される他のダンパーを例示した図である。
【符号の説明】
【００６０】
１     …浴室空調装置
２     …ファンユニット
３     …本体ケース
４     …ダンパー
４ａ   …（ダンパーの）軸
４ｂ   …（ダンパーの）リブ
４ｃ   …（リブの）ガイド孔
４ｄ   …（ダンパーの）上面（裏面）
４ｅ   …（ダンパーの）下面（表面）
５     …ファンカバー
５ａ   …（ファンカバーの）吸入孔
５ｂ   …（ファンカバーの）吹出孔
６     …ヒータ
７     …フロントパネル
８     …ファンモータ
８ａ   …回転軸
９     …シロッコファン
９ａ   …（シロッコファンの）基盤
９ｂ   …（シロッコファンの）翼
１２   …ファン収納部
１３   …ダンパー収納部
１５   …吹出口
１６   …排気口
１８   …カム
１９   …（カムの）突起部
２０   …導通路
３０   …吸入口
３１   …フィルタ
３３   …天井面
４０、４０ａ、４０ｂ   …切欠部（開口部）
５０   …操作パネル
５１   …制御部
５２   …カム駆動用モータ
【図１】
0004826746.tif 000002
【図２】
0004826746.tif 000003
【図３】
0004826746.tif 000004
【図４】
0004826746.tif 000005
【図５】
0004826746.tif 000006
【図６】
0004826746.tif 000007
【図７】
0004826746.tif 000008